(57)【要約】      （修正有）【課題】光ファイバ余長部の収容作業性に優れた光ファイバ収容トレイ及び光ファイバ収容トレイへの光ファイバの収容方法を提供する。【解決手段】舌状片５の前方（収容トレイ１の中心側）には、壁部７が形成される。壁部７は、光ファイバ心線の許容最小曲げ径以上となる位置に形成される。壁部７は、舌状片５の先端と隙間を空けて形成される。すなわち、舌状片５は、壁部７と収容トレイ１の外周との間に形成され、舌状片５の先端と壁部７の上端との間には、開口部が形成される。壁部７は、舌状片５の先端と隙間があくように形成される。壁部７と舌状片５との間の開口部を塞ぐように、弾性体１１が配置される。弾性体１１は、壁部７側から舌状片５の方向に向けて形成され、弾性体１１の先端が、舌状片５の下方にラップする。したがって、弾性体１１の復元力によって、弾性体１１の先端が舌状片５の下面に押し付けられた状態となる。【選択図】図１
2019061122.tif 000002
【特許請求の範囲】
【請求項１】
内部に光ファイバの接続部が収容される光ファイバ収容トレイであって、
底面から所定の高さに形成され、光ファイバを保持する舌状片と、
前記舌状片と、隙間をあけて形成される壁部と、
前記舌状片と前記壁部との間の開口部を塞ぐように配置される弾性体と、
を具備し、
前記弾性体を押し込むことで、光ファイバを前記舌状片の下方に収容可能であることを特徴とする光ファイバ収容トレイ。
【請求項２】
前記弾性体は前記壁部側から設けられ、前記弾性体の先端が前記舌状片とラップして、前記舌状片の下方に位置することを特徴とする請求項１記載の光ファイバ収容トレイ。
【請求項３】
前記弾性体の先端の幅が、前記舌状片の幅よりも広いことを特徴とする請求項１又は請求項２に記載の光ファイバ収容トレイ。
【請求項４】
光ファイバ収容トレイへの光ファイバの収容方法であって、
底面から所定の高さに形成され、光ファイバを保持する舌状片と、前記舌状片と、隙間を開けて形成される壁部と、前記舌状片と前記壁部との間の開口部を塞ぐように配置される弾性体と、光ファイバ接続部を保持する保持部と、を具備する光ファイバ収容トレイを用い、光ファイバ接続部を前記保持部に固定し、
前記弾性体を押込んで、複数周に巻かれた光ファイバの余長部を、前記舌状片の下方に収容することを特徴とする光ファイバ収容トレイへの光ファイバの収容方法。
【発明の詳細な説明】
【技術分野】
【０００１】
本発明は、内部に光ファイバの接続部が収容される光ファイバ収容トレイ等に関するものである。
【背景技術】
【０００２】
従来、例えば光ケーブルの直線・分岐部などにおいて、光ファイバが接続されて用いられる場合がある。このような光ファイバの接続部を保護するために、光ファイバ同士の接続の際に必要な余長部及び光ファイバ接続部が光ファイバ収容トレイに収容される。
【０００３】
このような光ファイバの接続部及び余長部を収容する収容トレイとしては、光ファイバ心線の余長収納長さが心線移動による伝送損失増を抑制するのに対応可能な長さ以上となる大きさの余長収納領域を設けてなる光ファイバケーブル接続部における余長収納トレイがある。（例えば特許文献１）。
【先行技術文献】
【特許文献】
【０００４】
【特許文献１】特開２００５−０８４４１７号公報
【発明の概要】
【発明が解決しようとする課題】
【０００５】
特許文献１に記載されたような余長収納トレイには、光ファイバの余長部を収容するための舌状片が形成される。舌状片の前方には壁部が形成される。壁部は、光ファイバ心線の許容最小曲げ径以上となる位置に形成される。すなわち、舌状片は、壁部と収容トレイの外周との間に形成され、舌状片の先端と壁部の上端との間には、開口部が形成される。光ファイバ余長部は、舌状片の下方に収容される。
【０００６】
光ファイバ余長部を舌状片の下方に収容するためには、まず、光ファイバ接続部を保持部に固定する。その後、光ファイバ余長部を複数周に巻き、一括して舌状片の下方に入れ込むことで、光ファイバ余長部が収容される。
【０００７】
しかし、光ファイバ余長部を舌状片の下方に入れ込む際に、光ファイバ余長部が完全にまとまらずにばらけてしまい、舌状片の下方から光ファイバ余長部の一部が飛び出してしまう恐れがある。この場合には、飛び出した光ファイバを再度舌状片の下方に入れ込む必要がある。このため、全ての光ファイバ余長部を舌状片の下方に入れる作業が困難であった。
【０００８】
本発明は、このような問題に鑑みてなされたもので、光ファイバ余長部の収容作業性に優れた光ファイバ収容トレイ等を提供することを目的とする。
【課題を解決するための手段】
【０００９】
前述した目的を達成するため、第１の発明は、内部に光ファイバの接続部が収容される光ファイバ収容トレイであって、底面から所定の高さに形成され、光ファイバを保持する舌状片と、前記舌状片と、隙間をあけて形成される壁部と、前記舌状片と前記壁部との間の開口部を塞ぐように配置される弾性体と、を具備し、前記弾性体を押し込むことで、光ファイバを前記舌状片の下方に収容可能であることを特徴とする光ファイバ収容トレイである。
【００１０】
前記弾性体は前記壁部側から設けられ、前記弾性体の先端が前記舌状片とラップして、前記舌状片の下方に位置してもよい。
【００１１】
前記弾性体の先端の幅が、前記舌状片の幅よりも広くてもよい。
【００１２】
第１の発明によれば、舌状片と壁部とを塞ぐように弾性体が配置されるため、光ファイバを舌状片の下方に押し込む際には、弾性体が容易に変形し、光ファイバの収容作業の妨げにならず、また、一度舌状片の下方に押し込まれた光ファイバは、弾性体によって飛び出しが防止される。このため、作業性に優れた光ファイバ収容トレイを得ることができる。
【００１３】
また、弾性体の先端が、舌状片の先端とラップすれば、弾性体が上方に開くことが規制され、より確実に光ファイバの飛び出しを防止することができる。
【００１４】
また、弾性体の先端の幅が、舌状片の幅よりも広ければ、弾性体の押込み作業がさらに容易となる。また、一度収容した光ファイバを取り出す際に、弾性体を変形させた状態を維持することが容易である。
【００１５】
第２の発明は、光ファイバ収容トレイへの光ファイバの収容方法であって、底面から所定の高さに形成され、光ファイバを保持する舌状片と、前記舌状片と、隙間を開けて形成される壁部と、前記舌状片と前記壁部との間の開口部を塞ぐように配置される弾性体と、光ファイバ接続部を保持する保持部と、を具備する光ファイバ収容トレイを用い、光ファイバ接続部を前記保持部に固定し、前記弾性体を押込んで、複数周に巻かれた光ファイバの余長部を、前記舌状片の下方に収容することを特徴とする光ファイバ収容トレイへの光ファイバの収容方法である。
【００１６】
第２の発明によれば、光ファイバの収容時において、光ファイバの飛び出しがなく、収容作業性が優れる。
【発明の効果】
【００１７】
本発明によれば、光ファイバ余長部の収容作業性に優れた光ファイバ収容トレイ等を提供することができる。
【図面の簡単な説明】
【００１８】
【図１】収容トレイ１を示す図で、（ａ）は平面図、（ｂ）は（ａ）のＡ−Ａ線断面図。
【図２】収容トレイ１に光ファイバ１３を収容する工程を示す図。
【図３】収容トレイ１に光ファイバ１３を収容する工程を示す図。
【図４】（ａ）、（ｂ）は、収容トレイ１に光ファイバ１３を収容する工程を示す断面図。
【図５】収容トレイ１に光ファイバ１３が収容された状態を示す図で（ａ）は断面図、（ｂ）は平面図。
【図６】（ａ）、（ｂ）は、弾性体１１の他の実施形態を示す図。
【図７】弾性体１１の他の実施形態を示す図。
【発明を実施するための形態】
【００１９】
以下、本発明の実施の形態にかかる収容トレイ１について説明する。図１は、収容トレイ１を示す図で、図１（ａ）は平面図、図１（ｂ）は図１（ａ）のＡ−Ａ線断面図である。収容トレイ１は、主に、保持部３、舌状片５、壁部７、側壁９等から構成される。収容トレイ１は、内部に光ファイバの接続部及び余長部を収容するものである。
【００２０】
収容トレイ１は、略長円形の底面２に対し、底面２の外周に起立する側壁９を有する。側壁９の一部は外方と連通しており、光ファイバの挿通部となる。収容トレイ１の内部には、保持部３が形成される。保持部３は、底面２から所定の間隔で起立する複数の突起からなり、突起間に光ファイバ接続部を挿入することで、光ファイバ接続部を保持して収容トレイ１に固定することができる。
【００２１】
側壁９の上端部近傍には、収容トレイ１の中心方向に向けて突出する舌状片５が形成される。舌状片５は、少なくとも１対形成され、互いに対向するように配置される。すなわち、舌状片５は、外周側から互いの対向方向に向けて突出する。また、舌状片５は、底面２から所定の高さに形成される。すなわち、舌状片５と底面２とは離間しており、舌状片５と底面２との間には空間が形成され、光ファイバを保持することができる。
【００２２】
舌状片５の前方（収容トレイ１の中心側）には、隙間をあけて壁部７が形成される。壁部７は底面２の上方に起立する突起である。壁部７は、保持部３に収容された光ファイバ心線の許容最小曲げ径以上となる位置に形成される。壁部７は、舌状片５の先端と隙間を空けて形成される。すなわち、舌状片５は、壁部７と収容トレイ１の外周との間に形成され、舌状片５の先端と壁部７の上端との間には、開口部が形成される。
【００２３】
壁部７と舌状片５との間の開口部を塞ぐように、弾性体１１が配置される。弾性体１１は、ＰＥＴ等の薄い樹脂板を折曲げることで形成され、容易に弾性変形可能である。弾性体１１は、壁部７側から舌状片５の方向に向けて形成され、弾性体１１の先端が、舌状片５の下方にラップする。すなわち、弾性体１１の長さは、壁部７の上端と舌状片５の先端の距離よりも長い。したがって、弾性体１１の復元力によって、弾性体１１の先端が舌状片５の下面に押し付けられた状態となる。
【００２４】
なお、弾性体１１としては、弾性変形可能であれば、樹脂以外でも、金属等を用いることもできる。また、他のばね部材などと組み合わせて、弾性体とすることもできる。
【００２５】
また、図示した例では、一対の舌状片５のそれぞれに対して配置される弾性体１１が一体で形成されるが、本発明はこれに限られない。例えば、それぞれの壁部７と舌状片５との間の開口部を塞ぐように、別々の弾性体１１を配置してもよい。なお、弾性体１１を底面２に配置する場合には、底面２に対して、弾性体１１を接着等によって固定すればよい。
【００２６】
また、図示した例では、底面２に沿って配置される弾性体１１を、壁部７の手前で折り曲げて起立させ、壁部７の上部でさらに舌状片５の方向に折り曲げて形成されるが、本発明はこれに限られない。例えば、弾性体１１を底面２ではなく、壁部７に対して固定してもよい。また、底面２と一体で形成される壁部７を形成せずに、弾性体１１を折り曲げて、底面２から起立する部位を壁部７として機能させてもよい。すなわち、弾性体１１と壁部７とを一体で形成してもよい。この場合でも、起立部の上部の舌状片５側に折り曲げた部位が、弾性体１１として機能する。
【００２７】
次に、収容トレイ１に対して、光ファイバを収容する方法について説明する。まず、図２に示すように、光ファイバ１３同士の接続部である光ファイバ接続部１５を保持部３に挿入して固定する（図中Ｂ）。この際、光ファイバ１３の余長部は、複数周に巻いて環状にしておく。
【００２８】
次に、図３に示すように、環状の光ファイバ１３の一部（図中Ｃ）をまとめて、それぞれを舌状片５の下方に押し込む（図中Ｄ）。
【００２９】
図４は、光ファイバ１３を舌状片５の下方に押し込む際の弾性体１１の状態を示す部分断面図である。図４（ａ）に示すように、通常時は、弾性体１１によって、舌状片５と壁部７との間の開口部は塞がれている。この状態から、光ファイバ１３を弾性体１１に押し当て、弾性体１１を押し込むと（図中Ｅ）、図４（ｂ）に示すように、弾性体１１が弾性変形して（図中Ｇ）、舌状片５との間に隙間が形成され、複数周に巻かれた光ファイバ１３の余長部を舌状片５の下方に収容することができる（図中Ｈ）。
【００３０】
なお、光ファイバ１３が舌状片５の下方に押し込まれた後は、図５（ａ）に示すように、弾性体１１は元の状態に戻り（図中Ｉ）、舌状片５との間の隙間が再び塞がれる。このため、光ファイバ１３が飛び出すことがない。なお、光ファイバ１３は、１本ずつ挿入することもできるが、この場合でも、光ファイバ１３の挿入の際に、その都度、弾性体１１を変形させることで、確実に舌状片５の下方に入れることができる。
【００３１】
図５（ｂ）は、光ファイバ１３を収容した後の状態を示す平面図である。光ファイバ１３は、舌状片５の下方に完全に押し込まれると、自身の剛性によって、環が広がるように側壁９側に広がる。このため、確実に光ファイバ１３が舌状片５によって保持される。なお、この状態で、収容トレイ１の上面にカバーを被せることで、収容トレイ１の内部に異物等が混入することがない。また、収容トレイ１は、複数段に重ねることもできる。
【００３２】
以上、本実施の形態によれば、弾性体１１によって、舌状片５と壁部７との間の開口部が塞がれており、光ファイバ１３を押し込む際にのみ開く。このため、光ファイバ１３を束ねて舌状片５の下方に押し込む際に、例えばその一部が、舌状片５の下方から飛び出してしまい、再度、飛び出した光ファイバ１３を舌状片５の下方に押込みし直すことを防止することができる。したがって、光ファイバ１３の収容作業性が良好である。
【００３３】
また、弾性体１１の先端が舌状片５とラップしており、舌状片５の下方に位置するため、弾性体１１は光ファイバ１３が下方に押し込まれる方向には容易に弾性変形するが、光ファイバ１３が飛び出す方向には変形しない。したがって、確実に光ファイバ１３を保持することができる。
【００３４】
次に、弾性体１１の他の実施形態について説明する。前述した例では、弾性体１１と舌状片５とをラップさせる例について説明したが、本発明は、これに限られない。例えば、図６（ａ）に示すように、弾性体１１の先端と舌状片５の先端が接触してもよく、又は、互いの先端同士の間にわずかに隙間があってもよい。この場合、弾性体１１の上方への変形を規制することはできないが、光ファイバ１３を押し込む際には、弾性体１１を容易に変形させることができる（図中Ｊ）。
【００３５】
また、図６（ｂ）に示すように、弾性体１１を舌状片５側から形成してもよい。すなわち、弾性体１１を舌状片５に固定してもよい。この場合でも、弾性体１１の壁部７側の端部を容易に変形させることができる（図中Ｋ）。なお、図では、弾性体１１を舌状片５の下面に固定したが、舌状片５の上面に固定してもよい。
【００３６】
また、前述した例では、弾性体１１の幅を、舌状片５の幅と略同一としたが、本発明はこれに限られない。例えば、弾性体１１を容易に変形させるためには、弾性体１１の幅を舌状片５よりも狭くしてもよい。
【００３７】
また、図７に示す収容トレイ１ａのように、弾性体１１の一部の幅を、舌状片５よりも広くしてもよい。すなわち、舌状片５の側方に弾性体１１がはみ出すようにしてもよい。
【００３８】
弾性体１１の幅を舌状片５よりも広くすることで、弾性体１１の押し込み作業が容易となる。すなわち、光ファイバ１３を舌状片５の下方に入れる際に、指で弾性体１１の左右のはみ出し部分を押込むことで、容易に弾性体１１を変形させることができる。このため、光ファイバ１３が弾性体１１に押し付けられることを抑制することができる。
【００３９】
また、一度収容した光ファイバ１３を取り出す際には、弾性体１１を押し込んだ状態で保持し、舌状片５の下方から光ファイバ１３を取り出す必要があるが、この際にも、指で弾性体１１の左右のはみ出し部分を押込むことで、容易に弾性体１１が変形した状態を維持することができる。したがって、光ファイバ１３の取り出し作業性にも優れる。
【００４０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例又は修正例に想到し得ることは明らかであり、それらについても当然に本発明の技術的範囲に属するものと了解される。
【符号の説明】
【００４１】
１、１ａ………収容トレイ
２………底面
３………保持部
５………舌状片
７………壁部
９………側壁
１１………弾性体
１３………光ファイバ
１５………光ファイバ接続部
【図１】
2019061122.tif 000003
【図２】
2019061122.tif 000004
【図３】
2019061122.tif 000005
【図４】
2019061122.tif 000006
【図５】
2019061122.tif 000007
【図６】
2019061122.tif 000008
【図７】
2019061122.tif 000009